(57)【特許請求の範囲】
【請求項１】
携帯用電子装置において使用される種類のバッテリを、充電することに用いるためのＡＣアダプタであって、
ハウジングと、
ＡＣ電力信号を前記ハウジングの外部に放出するための、前記ハウジング内に実装された一次変圧器巻線と、
前記一次変圧器巻線から放出される電力のレベルを選択するための、前記一次変圧器巻線とＡＣ入力との間に結合された電力選択手段と、
前記アダプタの近傍におけるバッテリ・パックの充電を制御する制御信号を生成するための、前記電力選択手段に結合された制御論理手段と、
前記制御論理手段に結合された通信ポートであって、前記アダプタの近傍における前記バッテリ・パックからのバッテリ状態信号を受信するための、及び前記バッテリの充電の制御のための制御信号を該バッテリ・パックに送信するための、通信ポート
とを備える、ＡＣアダプタ。
【請求項２】
携帯用電子装置と共に用いるためのバッテリ・パックであって、
ハウジングと、
前記ハウジング内に実装されたバッテリと、
ＡＣ電力信号を結合するための、前記ハウジング内に実装された二次変圧器巻線と、
前記二次変圧器巻線によって結合されたＡＣ電力信号を、前記バッテリを充電するためのＤＣ電力信号へと変換するための、前記バッテリと前記二次変圧器巻線との間に結合された電力変換手段と、
前記ハウジングの外部において形成された第１の通信ポートと、
前記バッテリから前記第１の通信ポートへと、バッテリ充電状態を指示する信号を伝達するための、且つ、前記バッテリ・パックの外部に状態信号を伝達するための、前記バッテリと前記第１の通信ポートとに結合された手段と、
前記バッテリからの検知されたバッテリ状態信号入力と、前記第１の通信ポートにおいて受信された制御信号とに基づいて前記電力変換手段の出力を制御するための、前記バッテリと前記電力変換手段との間に結合されたフィードバック制御手段
とを備える、バッテリ・パック。
【請求項３】
携帯用電子装置と共に用いるためのバッテリ・パックであって、
ハウジングと、
前記ハウジング内に実装されたバッテリと、
ＡＣ電力信号を結合するための、前記ハウジング内に実装された二次変圧器巻線と、
前記二次変圧器巻線によって結合されたＡＣ電力信号を、前記バッテリを充電するためのＤＣ電力信号へと変換するための、前記バッテリと前記二次変圧器巻線との間に結合された電力変換手段と、
前記ハウジングの外部において形成された第１の通信ポートと、
前記バッテリから前記第１の通信ポートへと、バッテリ充電状態を指示する信号を伝達するための、且つ、前記バッテリ・パックの外部に状態信号を伝達するための、前記バッテリと前記第１の通信ポートとに結合された手段
とを備え、
前記バッテリに対するＤＣ電力出力を制御する電力変換手段制御信号を、前記通信ポートを介して前記電力変換手段が受信するようにして、前記電力変換手段が前記通信ポートに結合されることからなる、バッテリ・パック。
【請求項４】
バッテリ充電システムであって、
バッテリを含むバッテリ・パックと、
アダプタであって、
ハウジングと、
ＡＣ電力信号を前記ハウジングの外部に放出するための、前記ハウジング内に実装された一次変圧器巻線と、
前記一次変圧器巻線から前記バッテリ・パックへと放出される電力のレベルを選択するための、前記一次変圧器巻線とＡＣ入力との間に結合された電力選択手段
とを含むことからなる、アダプタと、
前記バッテリ・パックから分離された携帯用電子装置と、
前記アダプタを介した、前記バッテリ・パックと前記携帯用電子装置との間の通信リンクであって、バッテリ状態情報を前記携帯用電子装置に伝達するための、通信リンク
とを備え、
前記アダプタは、前記バッテリと前記携帯用電子装置とを同時に充電するための手段を含むことからなる、バッテリ充電システム。
【発明の詳細な説明】
【０００１】
【発明の属する技術分野】
本発明は、コンピュータ、セルラ電話等のような携帯用電子装置に用いられるバッテリ・パック、ＡＣアダプタ、及び、充電システムに関するものである。
【０００２】
【従来の技術】
先行技術において、携帯用計算装置に用いられるバッテリ・パックに充電するためのさまざまなシステムが教示されている。こうした先行技術によるシステムには、コードによってバッテリ充電器に接続される壁付けアダプタが含まれている。バッテリ充電器には、その上部表面に、充電のためバッテリ・パックが挿入される１つまたは複数のスロットが含まれている。充電は、外部電極に直接電気的に接触させることによって実施される。この設計の欠点は、新たな、または、異なる携帯用計算装置に合わせて、新たなバッテリが開発されるので、新たなバッテリの形状及び電極の配置に一致するスロットを備えた、新たなバッテリ充電器を開発しなければならないという点にある。
【０００３】
先行技術には、ラップ・トップ・コンピュータにワイヤレスで電力を供給することを可能にするシステムも含まれている。Ｐａｒｋｓ他に対して発行された米国特許第5,455,466号に開示されているこのシステムには、携帯用コンピュータに電力を誘導結合するために用いられる電力増幅器を制御するデスク・トップ・コンピュータが含まれている。このシステムの欠点には、電力の誘導伝達を制御するために用いられるデスクトップ・コンピュータの複雑さ及びサイズが問題であることと、さらには、該システムでは、バッテリ・パック及び独立した携帯用計算装置の同時充電ができないという点が含まれる。
【０００４】
先行技術の関連する他の特徴としては、先行技術には、バッテリ・パックの重量減少、コスト低下、及び、サイズ縮小のためにバッテリ・パックの外部に（すなわち、充電器内に）充電制御論理装置を設けたシステムの開示がないという点もある。
【０００５】
【発明が解決しようとする課題】
従って、本発明の目的は、任意のサイズ及び電圧のバッテリに対する充電を可能にするバッテリ充電システムを提供することにある。
【０００６】
本発明のもう１つの目的は、バッテリに対する充電及び携帯用電子装置に対する電力供給の両方を同時に実施することが可能なバッテリ充電システムを提供することにある。
【０００７】
本発明のもう１つの目的は、さまざまなサイズのバッテリに対する充電及び携帯用電子装置に対する電力供給を同時に実施することが可能なバッテリ充電システムを提供することにある。
【０００８】
【課題を解決するための手段】
以上の及びこれに関連する本発明の目的は、本書に開示されたバッテリ・パック、アダプタ、及び、充電システムを用いることによって実現する。
【０００９】
本発明の実施例の１つでは、ハウジング内に取り付けられ、電力変換器を介して二次変圧器巻線に結合されたバッテリを含むバッテリ・パックが開示されている。前記ハウジングの外部に形成された通信ポートによって、ハウジング外にバッテリ状況信号を伝搬することが可能になる。通信ポートは、赤外線技法を利用して実施することが可能であり、充電器に対してバッテリの存在を表示するための、近接表示装置を設けることが可能である。フィードバック制御論理装置は、検知したバッテリ状況信号に基づいて電力変換器の出力を制御する。
【００１０】
本発明のもう１つの実施例では、ハウジング内に取り付けられて、前記ハウジング外にＡＣ電力信号を放出するための一次変圧器巻線と、一次変圧器巻線とＡＣ入力の間に結合されて、変圧器一次巻線から放出される電力レベルを選択するための電力セレクタと、前記アダプタの近接範囲内のバッテリ・パックから伝搬するバッテリ状況信号を受信するための通信ポートと、通信ポートに結合されて、アダプタに近接したバッテリ・パックの充電を制御する制御信号を発生するための制御論理装置とを含むＡＣアダプタが開示されている。該アダプタは、制御信号によって、電力セレクタから出力されるＡＣ電力信号またはバッテリ・パックにおける電力変換器の出力のレベル、あるいは、両方のレベルを制御するように構成することが可能である（この両方のレベルを制御する場合、制御信号は、無線通信ポートを介してバッテリ・パックに伝搬される）。アダプタには、バッテリ・パックがアダプタ及びＡＣ／ＤＣ変換器に近接するとこれを検出してＤＣ電力信号を発生する、近接検出器を設けることも可能である。アダプタには、別のバッテリ・パックまたは携帯用電子装置の誘導充電のために、第２の電力セレクタ及び一次変圧器巻線を設けることも可能である。
【００１１】
本発明のさらにもう１つの実施例では、バッテリを含むバッテリ・パックと、アダプタと、バッテリ・パックから独立した携帯用電子装置と、バッテリ・パックと携帯用電子装置の間にあって、バッテリ状況情報を携帯用電子装置に伝搬するための通信結合部とを含む充電システムが開示される。アダプタは、第１のバッテリ・パック／携帯用電子装置及び第２のバッテリ・パック／携帯用電子装置に対して同時に充電するように構成することが可能である。通信結合部は、ＩＲ（赤外線）通信方式が望ましい。
【００１２】
当該技術の熟練者であれば、図面と併せて、下記の本発明に関するより詳細な説明を検討することにより、本発明の以上の及び関連する利点、特徴、及び構成がより容易に明らかになるはずである。
【００１３】
【実施例】
図１を参照すると、本発明によるバッテリ・パック及びアダプタのブロック図が示されている。バッテリ・パック１０は、ノートブック・コンピュータ、セルラ電話等のような携帯用電子装置に用いるのに適しており、複数の表面電極１３〜１６を備えたバッテリ１２を含んでいる。例えば、電極１３、１４は、供給電圧及び帰路電圧に用いられ、一方、電極１５、１６は、シリアル・データ転送に用いられる。このシリアル・データの内容には、充電状況、電圧レベル、瞬時電流、及び、温度等のようなバッテリ状況及び検知情報を含むことが可能である。状況及び検知情報の履歴を蓄積するために、メモリ１８を設けることも可能である。
【００１４】
バッテリ１２は、リチウム・イオン、Ｎ金属水素化物等のバッテリが望ましい。これらのバッテリは、両方とも、全体的に小型のサイズと、充電状態を長く保つ能力で既知のところである。リチウム・イオン・バッテリは一般に軽量であるとみなされている。バッテリ１２には、上述したようなタイプのデータを収集するためのセンサも含まれており、こうしたセンサは通常、バッテリ専門業者によって供給される。
【００１５】
後にさらに詳細に説明するように、リチウム・イオン・バッテリは、通常、しきい値電圧に達するまで高電力充電によって充電され、その後は、低電力充電が適用される。Ｎ金属水素化物バッテリは、通常、既定の温度または温度変化率に達するまで充電され、その後は、充電の調整がいっそう精密に行われる。
【００１６】
ブロック２０は、検知、フィードバック、及び、制御論理装置を表している。ブロック２０は、バッテリ１２、電力変換器３０、及び、通信ポート２４に結合されている。ブロック２０は、点線で表されているが、これは、後述するように、ブロック２０の機能はバッテリ・パックの外部に設けることが可能であるからであり、実施例の１つでは、ブロック２０の機能はバッテリ・パックの外部に設けられている。
【００１７】
センサから信号を受信する検知論理装置の構成は、既知の方法の場合、バッテリ１２に用いられるバッテリ・タイプに応じてさまざまである。検知論理装置の出力から制御論理装置にフィードバック信号が供給され、次に、制御論理装置が、既知のパラメータをセットして、ＡＣ／ＤＣ電力変換器３０を調整する。例えば、リチウム・イオン・バッテリの場合、バッテリ１２のしきい値電圧を検知すると、ブロック２０（または、後述のように、アダプタ４０のブロック５０）の制御論理装置は、電力変換器３０に制御信号を伝搬する。該制御信号によって、電力変換器３０は、バッテリが充電される速度を低下させ、完全な充電状態に達し、この状態が持続すると、充電を中断させる。Ｎ金属水素化物バッテリの場合、バッテリ電圧が指定の範囲内であれば、所定のバッテリ温度の変化率によって、制御論理装置２０（またはアダプタ４０のブロック５０）が、同様の制御信号を電力変換器３０に伝搬させ、充電レベルの低下が調整されるようにする。リチウム・イオン及びＮ金属水素化物バッテリの調整は、当該技術において既知のところである。
【００１８】
電力変換器３０は、二次変圧器巻線３２及びバッテリ１２に結合される。電力変換器３０の構成は、バッテリ１２において得られるバッテリのタイプによって決まるが、既知構成のうち、とりわけ、電圧及び駆動レベル制御、電流制限、減結合リレー、及び、ステップまたはランプ電圧のものを含むことが可能である。充電の仕様書は、バッテリ・メーカによって供給される。
【００１９】
通信ポート２４は、無線のＩＲ（赤外線）ポートとして実施するのが望ましいが（一般には、ＬＥＤ及び光検出器で実施される）、他の無線及び有線技法を用いることも可能であり、これらは本発明の範囲内に含まれる。認識しておくべきことは、バッテリ・パック１０の外部ハウジング全体またはそのサブセットをＩＲ伝搬媒体で造ることによって、通信アライメントの制限をなくすことができるという点である。
【００２０】
バッテリ・パック１０には、近接表示装置３８も含まれている。装置３８は、アダプタ４０内の近接検出器６８と連係して、アダプタに対して、バッテリ・パックが充電位置にあることを表示する働きをする。近接表示装置３８は、磁石とすることも可能であるが、検出器６８は、２進信号をコントローラ５０に伝搬する磁気センサである。アライメントの制限をさらに緩和するため、例えば、バッテリ・パック内の反対側の表面に、補助近接表示装置を設けることも可能である。
【００２１】
アダプタ４０には、Ｉｎｔｅｌ８０５１等のプロセッサが望ましいコントローラが含まれている。コントローラ５０は、通信ポート（ＩＲポートとして構成された）５４、近接検出器６８、電力セレクタ６０、及び、ＡＣ／ＤＣ変換器７０に結合されている。バッテリ・パック１０の望ましい実施例の１つでは、ブロック２０の検出、フィードバック、及び、制御論理機能がコントローラ５０内に設けられている。この実施例の場合、検知したバッテリ状態は、ＩＲポート２４を介して、バッテリ１２からアダプタ４０のコントローラ５０に伝搬される。このコントローラは、無線通信ポート２４、５４を介して電力変換器３０にフィードバック制御信号を送る。バッテリ・パック１０の制御論理装置がバッテリ・パック外部に設けられるこうした構成によれば、より普遍的な用途を有し、比較的製造コストの低い基本レベルのバッテリが得られる。
【００２２】
電力セレクタ６０は、電力増幅レベルを設定するものであるが、電力変換器３０に関して上述の電圧及び電流制限特性を促進するように構成することが可能である。電力セレクタ６０の出力は、一次変圧器巻線６２（これは、二次変圧器巻線３２と共に完全な変圧器を形成する）まで伝搬され、そこから、バッテリ・パック１０の二次変圧器巻線３２に誘導結合される。
【００２３】
ＡＣ／ＤＣ変換器７０は、９０〜２６０Ｖの範囲の入力ＡＣ信号を受信し、正電圧と対応する負の帰路電圧から成る調整された出力を生じるように設計することが望ましい。米国のHewlett-Packard Companyのノートブック・コンピュータのような従来のノートブック・コンピュータに用いられる望ましい実施例の１つでは、出力電圧は１２Ｖ（ＤＣ）が望ましい。
【００２４】
図２を参照すると、本発明によるバッテリ・パック及び充電システムのブロック図が示されている。このシステムによって、バッテリ・パック及び携帯用電子装置の両方に同時に電力を供給することが可能になる。
【００２５】
バッテリ・パック１１０は、外部電極１１３〜１１６に結合されたバッテリ１１２、電力変換器１３０、任意の制御論理装置１２０、近接表示装置１３８、及び、通信ポート１２４が含まれているという点において、図１のバッテリ・パック１０と同様である。バッテリ・パック１１０には、第２の通信ポート１２５も含まれている。これらのポート１２４、１２５は、両方とも、無線ＩＲポートとして構成されるのが望ましい。ポート１２５は、携帯用計算装置１９０、または、こうした携帯用計算装置のためのドッキング・ステーション１９１の同様のポートとの通信を可能にする。計算装置及びドッキング・ステーションの少なくとも一方には、バッテリ・パック１１０との通信を実現するための無線通信ポート１９２または１９３が設けられている。通信ポートは、ドッキング・ステーションに組み込み、導体１８１を介して信号を伝搬させることもできるし、あるいは、携帯用通信装置１９０に直接設けてもよい。但しこの場合は、ドッキング・ステーションが装置１９０とバッテリ・パック１１０の間の通信を妨げないように構成する。
【００２６】
携帯用計算装置１９０と充電すべきバッテリ・パックとの間の通信を確立することによって、プロセッサ１９５を利用して充電を制御することが可能になり、このため、制御ブロック１２０または１５０における前記制御の必要がなくなる。プロセッサ１９５による必要な制御を実現するため、このプロセッサは、バッテリ１１２から検知した信号（ポート１２５を介して出力される）を受信し、検知した信号に基づいて電力変換器１３０の制御信号を発生するように構成される。制御信号は、電力変換器１３０まで直接伝搬される（すなわち、ブロック１２０は、検知信号及び制御信号を通過させる働きをするだけである）。バッテリ１１２が完全に充電されると、プロセッサは、電力変換器１３０を動作不能にし、ポート１２４を介してアダプタ１４０との通信を行い、その充電機能を不能にする。プロセッサ１９５を用いると、いくつかの利点を得ることができるが、携帯用計算装置（及びその中のプロセッサ）が利用できない場合でもバッテリ・パックの充電ができるので、制御論理装置はブロック１５０に保有するのが有利である。
【００２７】
アダプタ１４０は、図１のアダプタ４０に類似しており、一次変圧器１６２、電力セレクタ１６０、ＡＣ／ＤＣ変換器１７０、通信ポート１５４、及び、近接検出器１６８を含んでいる。アダプタ１４０（及び図１の４０）のＤＣ出力を用いて、ＤＣ出力ポートに結合された携帯用計算装置に電力供給を行うことが可能である。
【００２８】
図３を参照すると、本発明によるもう１つのバッテリ・パック及び充電システムのブロック図が示されている。
【００２９】
アダプタ装置２４０は、バッテリ・パック２１０及び携帯用計算装置２９０の無線充電を可能にする。この機能をもたらすため、アダプタ２４０には、第１及び第２の電力セレクタ２６０、２６１と、第１及び第２の一次変圧器巻線２６２、２６３が含まれている。一次変圧器巻線２６３は、電気エネルギを二次変圧器巻線２８３に結合して、携帯用計算装置に電力供給し、バッテリに充電する。ＡＣ／ＤＣ変圧器・調整器２８４は、入力ＡＣ電力信号を、既知のバッテリ充電回路を含む携帯用計算装置に用いられるＤＣに変換する。プロセッサ２９５は、これらの回路からのフィードバックを利用し、図１の電力変換器３０に関して上述したのと同じやり方で、ＡＣ／ＤＣ変換器２８４から出力される電荷の制御を行う。携帯用計算装置２９０には、近接検出器２８６及び通信ポート２８５も含まれている。
【００３０】
アダプタ２４０には、近接検出器２６８と、近接表示装置２６９と、バッテリ・パック２１０及び携帯用計算装置２９０それぞれと通信するための２つの無線通信ポート２５４、２５５とが設けられている。これらのコンポーネントは、図１に関連して上述の通りである。ブロック２５０は、バッテリ・パックに充電するための制御論理装置（コントローラ５０に関して上述したものと同様のもの）を表しており、バッテリ・パック２１０は、バッテリ・パック１０に類似している。
【００３１】
アダプタ２４０は、１つのバッテリ・パックと１つの携帯用電子装置という組み合わせに対する充電だけに用いられるのではなく、２つのバッテリ・パックへの充電にも用いることができるという点に注目されたい。この場合、アダプタ２４０には、第２のバッテリ・パックの存在を検出するための第２の近接検出器、及び、第２のバッテリ・パックの充電を調整するためのブロック２５０における既知の制御論理装置が設けられることになる。
【００３２】
特定の実施例に関連して本発明の説明を行ってきたが、云うまでもなく、さらに修正を加えることが可能であり、この明細書は一般に本発明の原理に従った、本発明が関係する技術において既知である、または、慣例となった実施範囲内に含まれ、既述の本質的な特徴に適用することが可能であり、本発明の範囲及び特許請求の範囲の制限内に含まれる、本開示からの逸脱を含む、本発明の任意の変更、利用、または、改変を包含することを意図したものである。
【００３３】
〔実施態様〕
なお、本発明の実施態様の例を以下に示す。
【００３４】
〔実施態様１〕
携帯用電子装置に用いられるバッテリに充電するためのシステムであって、
電力変換器（３０）を介して二次変圧器巻線（３２）に結合されたバッテリ（１２）を有するバッテリ・パック（１０）と、
電力セレクタ（６０）を介して一次変圧器巻線（６２）に結合されたＡＣ入力を有し、前記電力セレクタ（６０）に結合される制御論理装置（５０）を備えるアダプタ（４０）と、
前記バッテリ・パック（１０）と前記アダプタ（４０）の間の通信結合部（２４、５４）と
を設けて成るバッテリ充電システム。
【００３５】
〔実施態様２〕
前記アダプタ（４０）の前記制御論理装置（５０）が、検知されたバッテリ（１２）の状況信号に基づいて、前記電力セレクタ（３０）に対する制御信号を発生することと、
前記電力セレクタ制御信号が、前記通信結合部（２４、５４）を介して伝搬すること
を特徴とする、実施態様１に記載のバッテリ充電システム。
【００３６】
〔実施態様３〕
前記通信結合部に、前記バッテリ・パック（１０）及び前記アダプタ（４０）のそれぞれにおけるＩＲポート（２４、５４）が含まれることを特徴とする、実施態様１または実施態様２に記載のバッテリ充電システム。
【００３７】
〔実施態様４〕
前記バッテリ・パック（１０）に、近接表示手段（３８）が含まれており、アダプタ（４０）に、近接表示手段を検出するための手段（６８）が含まれていることを特徴とする、実施態様１ないし実施態様３のいずれか一項に記載のバッテリ充電システム。
【００３８】
〔実施態様５〕
前記バッテリ（１２）と前記電力変換器（３０）の間に結合され、前記バッテリ（１２）から入力される検知されたバッテリ状況信号に基づいて、前記電力変換器（３０）の出力を制御するためのフィードバック制御手段（２０）が前記バッテリ・パック（１０）に含まれていることを特徴とする、実施態様１ないし実施態様４のいずれか一項に記載のバッテリ充電システム。
【００３９】
〔実施態様６〕
前記バッテリ・パック（１１０）に、第２の通信ポート（１２５）がさらに含まれていることを特徴とする、実施態様１ないし実施態様５のいずれか一項に記載のバッテリ充電システム。
【００４０】
〔実施態様７〕
前記アダプタ（２４０）に、第２の電力セレクタ（２６１）を介して前記ＡＣ入力に結合され、第２の出力ＡＣ電力信号を発生するための変圧器の第２の一次巻線（２６３）がさらに含まれていることを特徴とする、実施態様１ないし実施態様６のいずれか一項に記載のバッテリ充電システム。
【００４１】
〔実施態様８〕
前記アダプタ（１４０）に、出力ＤＣ電力信号を発生するためのＡＣ／ＤＣ電力変換器（１７０）がさらに含まれていることを特徴とする、実施態様１ないし実施態様７のいずれか一項に記載のバッテリ充電システム。
【００４２】
〔実施態様９〕
前記バッテリ・パック（１１０）の第２の通信結合部（１２５）に適合する通信結合部（１９２、１９３）を備えた携帯用電子装置（１９０）が含まれていることと、
バッテリ充電制御信号が、前記携帯用電子装置（１９０）から前記バッテリ・パック（１１０）に伝搬すること
を特徴とする、実施態様６に記載のバッテリ充電システム。
【００４３】
〔実施態様１０〕
前記アダプタ（２４０）に、第２の通信結合部（２５５）がさらに含まれていることと、
前記システムに、前記アダプタ（２４０）の第２の通信結合部（２５５）に適合する通信結合部（２８５）を備えた携帯用電子装置（２９０）がさらに含まれており、アダプタ・携帯用電子装置通信結合部を形成するようになっていることを特徴とする、実施態様７に記載のバッテリ充電システム。
【００４４】
【発明の効果】
以上詳細に説明したように、本発明による構成を有するバッテリ充電システムは、上述した目的を達成することができる。
【図面の簡単な説明】
【図１】本発明によるバッテリ・パック及びアダプタのブロック図である。
【図２】本発明によるバッテリ・パック及び充電システムのブロック図である。
【図３】本発明によるもう１つのバッテリ・パック及び充電システムのブロック図である。
【符号の説明】
１０    バッテリ・パック
１２    バッテリ
１３    表面電極
１４    表面電極
１５    表面電極
１６    表面電極
１８    メモリ
２０    検知フィードバック制御論理装置
２４    通信ポート
３０    電力変換器
３２    二次変圧器巻線
３８    近接表示装置
４０    アダプタ
５０    コントローラ
５４    通信ポート
６０    電力セレクタ
６２    一次変圧器巻線
６８    近接検出器
７０    ＡＣ／ＤＣ変換器
１１０  バッテリ・パック
１１２  バッテリ
１１３  外部電極
１１４  外部電極
１１５  外部電極
１１６  外部電極
１２０  オプションの制御論理装置
１２４  通信ポート
１２５  第２の通信ポート
１３０  電力変換器
１３８  近接表示装置
１４０  アダプタ
１５４  通信ポート
１６０  電力セレクタ
１６２  一次変圧器
１７０  ＡＣ／ＤＣ変換器
１８１  導体
１９０  携帯用計算装置
１９１  ドッキング・ステーション
１９２  無線通信ポート
１９３  無線通信ポート
１９５  プロセッサ
２１０  バッテリ・パック
２４０  アダプタ
２５０  制御論理装置
２５４  無線通信ポート
２５５  無線通信ポート
２６０  第１の電力セレクタ
２６１  第２の電力セレクタ
２６２  第１の一次変圧器巻線
２６３  第２の一次変圧器巻線
２６８  近接検出器
２６９  近接表示器
２８３  二次変圧器巻線
２８４  ＡＣ／ＤＣ変換器
２８５  通信ポート
２８６  近接検出器
２９０  携帯用計算装置
２９５  プロセッサ
【図１】
0004053121.tif 000002
【図２】
0004053121.tif 000003
【図３】
0004053121.tif 000004